(57)【要約】【課題】大きな揺れを伴う地震が発生した場合において安全性の高いプロジェクターを提供する。【解決手段】商用電源供給部（コンセント）への接続を行う電源接続部（差し込みプラグ）から入力される電力をプロジェクターの主回路基板１２０側に供給する電源制御部を有する電源装置１１０と、電源接続部を介して電源制御部に電力が供給されている状態でオン操作されることより当該プロジェクターの動作開始を指示する電源スイッチと、振動を検出して振動検出信号を出力する振動検出部１２５と、を備え、電源制御部は、振動検出信号に基づいて、主回路基板１２０側への電力供給を停止させるとともに、主回路基板１２０側への電力供給を停止した状態で、電源接続部（差し込みプラグ）が商用電源供給部（コンセント）に対して電源遮断・再接続操作されると、主回路基板１２０側への電力供給を復帰させるように動作する。【選択図】図１
2013178437.tif 000002
【特許請求の範囲】
【請求項１】
商用電源供給部への接続を行う電源接続部と、前記電源接続部から入力された電力をプロジェクターの主回路基板側に供給する電源制御部とを有する電源装置と、
光源からの光を画像データに基づいて変調して画像光を生成し、当該画像光を投写する画像投写部と、
前記電源接続部を介して前記電源制御部に電力が供給されている状態でオン操作されることより当該プロジェクターの動作開始を指示する電源スイッチと、
振動を検出して振動検出信号を出力する振動検出部と、
を備え、
前記電源制御部は、前記振動検出部から振動検出信号が出力されると、前記主回路基板側への電力供給を停止させ、当該主回路基板側への電力供給を停止した状態で、前記電源接続部を前記商用電源供給部に対して接続を遮断させた後に再接続する電源遮断・再接続操作がなされると、前記主回路基板側への電力供給を復帰させる機能を有することを特徴とするプロジェクター。
【請求項２】
請求項１に記載のプロジェクターにおいて、
前記主回路基板には、制御装置が設けられ、
当該制御装置は、
前記振動検出部から振動検出信号が出力された場合、当該振動検出信号が出力されたことを示す情報を振動検出履歴として記憶部に保存させる機能と、
前記光源が点灯していない状態で、前記電源制御部から前記主回路基板への電力供給がなされると、前記記憶部に振動検出履歴が保存されているか否かを判定し、前記記憶部に振動検出履歴が保存されていない場合には、プロジェクターを第１の通常スタンバイ状態とし、前記記憶部に振動検出履歴が保存されている場合には、プロジェクターを異常スタンバイ状態とする機能と、
を有することを特徴とするプロジェクター。
【請求項３】
請求項２に記載のプロジェクターにおいて、
前記第１の通常スタンバイ状態で、前記振動検出部から振動検出信号が出力されると、
前記電源制御部は、前記主回路基板側への電力供給を停止させ、当該主回路基板側への電力供給を停止した状態で前記電源遮断・再接続操作がなされると、前記主回路基板側への電力供給を復帰させることを特徴とするプロジェクター。
【請求項４】
請求項２に記載のプロジェクターにおいて、
前記第１の通常スタンバイ状態で、前記振動検出部から振動検出信号が出力されていなければ、
前記制御装置は、前記電源スイッチがオン操作されることによって前記光源を点灯させるように制御することを特徴とするプロジェクター。
【請求項５】
請求項４に記載のプロジェクターにおいて、
前記光源が点灯している状態で、前記振動検出部から振動検出信号が出力されると、
前記電源制御部は、前記主回路基板側への電力供給を停止させ、当該主回路基板側への電力供給を停止した状態で前記電源遮断・再接続操作がなされると、前記主回路基板側への電力供給を復帰させることを特徴とするプロジェクター。
【請求項６】
請求項２に記載のプロジェクターにおいて、
前記電源接続部を介して前記商用電源が供給されることにより、前記電源スイッチがオン操作されることなく前記光源が点灯して投写開始が可能となるダイレクトパワーオン機能を有するとともに、当該ダイレクトパワーオン機能の設定／解除を行う機能を有し、
当該ダイレクトパワーオン機能が設定されている状態において、前記記憶部に振動検出履歴が保存されている場合には、前記異常スタンバイ状態とすることを特徴とするプロジェクター。
【請求項７】
請求項２又は６に記載のプロジェクターにおいて、
前記異常スタンバイ状態で、前記電源スイッチが特定の操作の仕方によって操作されると、前記制御装置は、前記異常スタンバイ状態から第２の通常スタンバイ状態に移行させることを特徴とするプロジェクター。
【請求項８】
請求項７に記載のプロジェクターにおいて、
前記第２の通常スタンバイ状態で、前記振動検出部から振動検出信号が出力されていなければ、当該プロジェクターに備えられている冷却用ファンを強制的に駆動させることを特徴とするプロジェクター。
【請求項９】
請求項１〜８のいずれかに記載のプロジェクターにおいて、
前記振動検出部に加えて、ガス検出部を備え、前記制御装置及び前記電源制御部は、前記ガス検出部から出力されるガス検出信号に基づいて、前記振動検出信号に基づく制御と同様の制御を行うことを特徴とするプロジェクター。
【発明の詳細な説明】
【技術分野】
【０００１】
本発明は、大きな揺れを伴う地震の発生時において所定の安全動作を行う機能を有するプロジェクターに関する。
【背景技術】
【０００２】
最近、地震による災害が多く発生してきており、この傾向は今後も続くことが予想される。大きな揺れを伴う地震が発生した場合には、安全のために、動作中の電気製品は、動作を停止状態とすることが重要である。特に熱源を有する電気製品については、確実に動作を停止させることが重要である。
【０００３】
プロジェクターにおいても、光源としてのランプが高熱となるものが多いため、大きな揺れを伴う地震の発生時には、所定の安全動作を行う機能（安全機能という）を有するものが従来から提案されている（例えば、特許文献１参照。）。
【０００４】
特許文献１に開示されているプロジェクター（従来のプロジェクターという。）は、所定以上の大きな振動を検出すると、例えば、電源を待機状態又は切断状態としたり、ランプを消灯したりするといった安全機能を有している。これにより、大きな揺れを伴う地震が発生した場合、火災などの二次災害を未然に防止することができるとしている。
【先行技術文献】
【特許文献】
【０００５】
【特許文献１】特開２００８−１８０８３７号公報
【発明の概要】
【発明が解決しようとする課題】
【０００６】
従来のプロジェクターにおいては、例えば、電源を待機状態又は切断状態としたあとの動作や、ランプを消灯したあとの動作については特に言及されていない。このため、プロジェクターが投写を行っている最中に、例えば、地震によってプロジェクターの安全機能が働いて、仮に電源が待機状態又は切断状態となった場合、地震が治まったあとにおいて直ちに電源を復帰させることが可能であると考えられる。特に、ダイレクトパワーオン機能を有している場合には、停電状態から商用電源が復帰したと同時にユーザーが電源スイッチをオンさせることなく、プロジェクターは直ちにランプが点灯し、投写状態に復帰することとなる。
【０００７】
しかしながら、大きな揺れを伴う地震などによって電源待機状態又は電源切断状態となっているプロジェクターにおいて、地震が治まったあとに、安易にプロジェクターの動作（画像の投写などの動作）を再開可能とすると二次災害につながる危険性もある。
【０００８】
例えば、地震によってガス漏れが発生し、漏れたガスがプロジェクターの筐体内に充満していたりする場合もあり、そのような状態の中で、プロジェクターの動作（画像の投写）が再開すると、光源としてのランプの熱でガスが発火してしまうといったこともあり得る。これは、プロジェクターのランプは一般的には高熱（８００℃程度）となるためである。
【０００９】
また、仮にガス漏れが発生していない場合であっても、地震が治まったあとに、プロジェクターを直ちに投写可能な状態に復帰させてしまうことは安全性の面で好ましいことではない。
【００１０】
そこで本発明は、大きな揺れを伴う地震が発生した場合において、安全性の高いプロジェクターを提供することを目的とする。
【課題を解決するための手段】
【００１１】
［１］本発明のプロジェクターは、商用電源供給部への接続を行う電源接続部と、前記電源接続部から入力された電力をプロジェクターの主回路基板側に供給する電源制御部とを有する電源装置と、光源からの光を画像データに基づいて変調して画像光を生成し、当該画像光を投写する画像投写部と、前記電源接続部を介して前記電源制御部に電力が供給されている状態でオン操作されることより当該プロジェクターの動作開始を指示する電源スイッチと、振動を検出して振動検出信号を出力する振動検出部と、を備え、前記電源制御部は、前記振動検出部から振動検出信号が出力されると、前記主回路基板側への電力供給を停止させ、当該主回路基板側への電力供給を停止した状態で、前記電源接続部を前記商用電源供給部に対して接続を遮断させた後に再接続する電源遮断・再接続操作がなされると、前記主回路基板側への電力供給を復帰させる機能を有することを特徴とする。
【００１２】
本発明のプロジェクターにおいては、振動検出信号が出力された場合には、プロジェクターの主回路基板側への電力供給を停止するようにしている。このため、たとえ、ユーザーが電源スイッチをオン操作したとしても、プロジェクターは光源の点灯動作を含めた各種動作を開始することはできない。振動検出信号が出力された場合においては、「電源遮断・再接続操作」がなされることによってプロジェクターの主回路基板側への電力供給を可能としている。
【００１３】
なお、「電源遮断・再接続操作」というのは、電源接続部（例えば、差し込みプラグ）を商用電源供給部（例えば、コンセント）に対して接続を遮断させた後に再接続する操作である。より具体的に言えば、電源接続部を商用電源供給部から抜いたのち、再び、電源接続部を商用電源供給部に接続するといった操作である。
【００１４】
このようにすることで、大きな揺れを伴う地震によってプロジェクターの主回路基板側への電力供給が停止した状態となった場合、単に電源スイッチをオン操作するだけでプロジェクターを元の状態に復帰させてしまうということがなくなる。これにより、地震などによって仮にガス漏れなどが発生していた場合に、ランプの熱でガスが発火してしまうといった危険を回避することができる。このように、本発明によれば、大きな揺れを伴う地震が発生した場合において安全性の高いプロジェクターとすることができる。
【００１５】
［２］本発明のプロジェクターにおいては、前記主回路基板には、制御装置が設けられ、当該制御装置は、前記振動検出部から振動検出信号が出力された場合、当該振動検出信号が出力されたことを示す情報を振動検出履歴として記憶部に保存させる機能と、前記光源が点灯していない状態で、前記電源制御部から前記主回路基板への電力供給がなされると、前記記憶部に振動検出履歴が保存されているか否かを判定し、前記記憶部に振動検出履歴が保存されていない場合には、プロジェクターを第１の通常スタンバイ状態とし、前記記憶部に振動検出履歴が保存されている場合には、プロジェクターを異常スタンバイ状態とする機能と、を有することが好ましい。
【００１６】
これにより、例えば、プロジェクターの電源接続部を商用電源供給部に接続した段階で、振動検出信号が出力されていなければ、第１の通常スタンバイ状態とすることができる。なお、第１の通常スタンバイ状態というのは、電源スイッチをオン操作することにより、当該プロジェクターの動作が可能となる状態であり、現時点において、振動検出信号が出力されなければ、プロジェクターを通常に動作させることができる。
【００１７】
一方、プロジェクターの電源接続部を商用電源供給部に接続した段階で、振動検出信号が出力されていれば、異常スタンバイ状態となる。なお、異常スタンバイ状態においては、単に電源スイッチをオン操作させるだけでは、プロジェクターは直ちには動作可能とはならない。これにより、大きな地震の発生時などにおいて、プロジェクターを安易に動作させないようにすることができる。
【００１８】
［３］本発明のプロジェクターにおいては、前記第１の通常スタンバイ状態で、前記振動検出部から振動検出信号が出力されると、前記電源制御部は、前記主回路基板側への電力供給を停止させ、当該主回路基板側への電力供給を停止した状態で前記電源遮断・再接続操作がなされると、前記主回路基板側への電力供給を復帰させることが好ましい。
【００１９】
このように、第１のスタンバイ状態で、振動検出信号が出力された場合には、「電源遮断・再接続操作」が行われないと、主回路基板側への電力供給を復帰させないようにしている。このため、たとえ第１の通常スタンバイ状態であっても、単に電源スイッチをオン操作するだけではプロジェクターは直ちには動作可能とはならない。これによって、例えば、ガス漏れなどは発生している場合の安全性を高めることができる。
【００２０】
［４］本発明のプロジェクターにおいては、前記第１の通常スタンバイ状態で、前記振動検出部から振動検出信号が出力されていなければ、前記制御装置は、前記電源スイッチがオン操作されることによって前記光源を点灯させるように制御することが好ましい。
【００２１】
これは、記憶部に振動検出履歴もなく、また、現時点において振動検出信号も出力されていないということであり、このように安全性が確かめられている状態においては、光源（ランプ）を点灯させることができる。これにより、プロジェクターを通常の動作状態に移行させることができる。
【００２２】
［５］本発明のプロジェクターにおいては、前記光源が点灯している状態で、前記振動検出部から振動検出信号が出力されると、前記電源制御部は、前記主回路基板側への電力供給を停止させ、当該主回路基板側への電力供給を停止した状態で前記電源遮断・再接続操作がなされると、前記主回路基板側への電力供給を復帰させることが好ましい。
【００２３】
このように、光源の点灯中（画像の投写中）に地震などが生じて振動検出信号が出力されると、プロジェクターの主回路基板側への電力供給を停止するようにしている。このため、地震が治まった後に、ユーザーが電源スイッチをオン操作したとしても、プロジェクターは光源の点灯を含め各種動作を開始することはできない。このため、安全性の高いプロジェクターとすることができる。
【００２４】
［６］本発明のプロジェクターにおいては、前記電源接続部を介して前記商用電源が供給されることにより、前記電源スイッチがオン操作されることなく前記光源が点灯して投写開始が可能となるダイレクトパワーオン機能を有するとともに、当該ダイレクトパワーオン機能の設定／解除を行う機能を有し、当該ダイレクトパワーオン機能が設定されている状態において、前記記憶部に振動検出履歴が保存されている場合には、前記異常スタンバイ状態とすることが好ましい。
【００２５】
このように、ダイレクトパワーオン機能が設定されている場合には、通常時においては、電源接続部（例えがば、差し込みプラグ）が商用電源供給部（例えば、コンセント）に接続されると、直ちに、光源の点灯がなされて、画像の投写が可能となる状態となるが、本発明においては、振動検出履歴が保存されている状態では、電源接続部が商用電源供給部に接続されても、光源は点灯せずに、異常スタンバイの状態に移行する。すなわち、振動検出履歴が保存されている状態では、ダイレクトパワーオン機能が解除され、特定の操作を行わないと、プロジェクターを正常な動作状態に移行させることができない。
【００２６】
これにより、ダイレクトパワーオ機能が設定されている場合に、例えば、地震などによって電源が遮断されたのちに、電源が復旧した場合に、ランプが点灯してしまうといったことがなくなり、大きな地震の発生時などにおいて、安全性の高いプロジェクターとすることができる。
【００２７】
［７］本発明のプロジェクターにおいては、前記異常スタンバイ状態で、前記電源スイッチが特定の操作の仕方によって操作されると、前記制御装置は、前記異常スタンバイ状態から第２の通常スタンバイ状態に移行させることが好ましい。
【００２８】
このように、異常スタンバイ状態においては、単に電源スイッチをオン操作させるだけでは第２の通常スタンバイ状態には移行しないようにしている。これにより、より安全性の高いプロジェクターとすることができる。
【００２９】
なお、「第２の通常スタンバイ状態」というのは、「第１の通常スタンバイ状態」と同様に、電源スイッチをオン操作することにより、当該プロジェクターの動作が可能となる状態であるが、異常スタンバイ状態から移行して通常スタンバイ状態（第２の通常スタンバイ状態）に移行しているため、実際にプロジェクターの動作が可能となるまでには、第１の通常スタンバイ状態とは異なった動作が加わる。
【００３０】
［８］本発明のプロジェクターにおいては、前記第２の通常スタンバイ状態で、前記振動検出部から振動検出信号が出力されていなければ、当該プロジェクターに備えられている冷却用ファンを強制的に駆動させることが好ましい。
【００３１】
このように、第２の通常スタンバイ状態においては、現時点において振動検出信号が出力されていななければ、まずは、冷却用ファンを駆動させる。このように冷却ファンを駆動させるのは、第２の通常スタンバイ状態の場合は、異常スタンバイ状態からの移行であり、地震によるガス漏れが発生している場合を想定しているからである。すなわち、プロジェクターの筐体内部にガスが入り込んでいる場合もあり得るため、まずは、冷却用ファンを駆動させて、プロジェクターの筐体内部からガスを排出させるようにするというものである。これにより、ランプを点灯させた場合、ランプの熱でガスが発火してしまうといった危険を回避することができる。なお、冷却用ファンはフル回転駆動させることが好ましい。
【００３２】
［９］本発明のプロジェクターにおいては、前記振動検出部に加えて、ガス検出部を備え、前記制御装置及び前記電源制御部は、前記ガス検出部から出力されるガス検出信号に基づいて、前記振動検出信号に基づく制御と同様の制御を行うことが好ましい。
【００３３】
このように、振動検出部に加えて、ガス検出部を備えることにより、地震などによる振動だけではなく、ガスをも検出することができる。これにより、地震によってガス漏れが発生した場合には、漏れたガスを検出して、その検出結果に対応した動作を行うことができる。
【００３４】
また、地震によるガス漏れだけではなく、地震とは関係なく、単にガス漏れが発生した場合にも対応可能となる。例えば、都市ガスやプロパンガスを用いた調理機器やストーブなどから、何らかの原因でガス漏れが生じて、漏れたガスがプロジェクターの筐体内に入り込んだ場合や、可燃性ガスを含んだ殺虫剤や整髪剤などのスプレー缶から噴霧された可燃性ガスがプロジェクターの筐体内に許容量を超えて入り込んだ場合においても、当該ガスを検出して、振動を検出した場合と同様の動作を行う。
【図面の簡単な説明】
【００３５】
【図１】実施形態１に係るプロジェクターＰＪ１の構成を示す図。
【図２】電源装置１１０の構成を示す図。
【図３】実施形態１に係るプロジェクターＰＪ１の外観を示す図。
【図４】実施形態１に係るプロジェクターＰＪ１の動作を説明するフローチャート。
【図５】実施形態２に係るプロジェクターＰＪ２の構成を示す図。
【図６】実施形態２に係るプロジェクターＰＪ２の動作を説明するフローチャート。
【発明を実施するための形態】
【００３６】
以下、本発明の実施形態について説明する。
【００３７】
[実施形態１]
図１は、実施形態１に係るプロジェクターＰＪ１の構成を示す図である。実施形態１に係るプロジェクターＰＪ１は、図１に示すように、電源装置１１０と、主回路基板１２０と、光学系及び光変調素子などを有する画像投写部１３０と、光源としてのランプ１４０と、ランプ１４０に電源装置１１０からの電力を供給するバラスト部１５０とを有している。
【００３８】
主回路基板１２０は、電源／主回路基板インターフェース部１２１、ＤＣ／ＤＣコンバーター１２２、ＲＯＭ１２３、ＲＡＭ１２４、ジャイロセンサーなどの振動検出部１２５、画像データ入力部１２６、画像データ処理部１２７、制御装置としてのＣＰＵ１２８、バスラインＢＬなどを有している。
【００３９】
制御装置としてのＣＰＵ１２８は、一般的なプロジェクターが行う種々の動作を実行するための制御機能の他に、振動検出部１２５から振動検出信号が出力されているか否かを判定する機能と、当該判定結果に基づいた制御を行う機能とを有している。
【００４０】
なお、振動検出部１２５は、プロジェクターＰＪ１の振動を適切に検出できる位置であれば、取り付け位置は特に限定されるものではない。また、振動検出部１２５は、例えば、検出した振動の強さが閾値以上の場合に振動検出信号を出力するように設定しておくことが好ましい。
【００４１】
また、振動検出部１２５は、主回路基板１２０側に電力供給がなされている間は、常に振動検出を可能とするように設定されていてもよいが、実施形態１に係るプロジェクターＰＪ１においては、振動検出部１２５を「作動状態」と「非作動状態」とに切り替え可能としている。なお、「作動状態」というのは、振動を検出可能な状態であり、かつ、検出した振動が閾値以上である場合には、振動検出信号を出力可能とする状態であるとする。また、「非作動状態」というのは、振動を検出しない状態、又は、振動が閾値以上であっても振動検出信号を出力しない状態であるとする。
【００４２】
振動検出部１２５の作動状態／非作動状態の切り替えは、例えば、プロジェクターＰＪ１をテーブルなどに設置すると、自動的に「作動状態」となり、テーブルから離脱させると「非作動状態」となるようにしてもよく、また、レバーやスイッチなどを設けて、当該レバーやスイッチにより、作動状態／非作動状態の切り替えを行うようにしてもよい。
【００４３】
このように、振動検出部１２５を作動状態／非作動状態に切り替え可能とするのは、振動検出信号を出力させたくない場合もあるからである。例えば、プロジェクターＰＪ１の差し込みプラグ１１１をコンセントに接続した状態で、設置場所を移す場合などが一例である。すなわち、設置場所を移す際に、所定以上の大きな振動を与えてしまう場合もあり、このような場合には、振動検出信号が出力されないように、振動検出部１２５を「非動作状態」に設定しておく。なお、振動検出部１２５が「作動状態」となっている場合には、振動検出部１２５が「作動状態」となっていることを示す表示をＬＥＤ（図示せず）などの点灯によって行うことが好ましい。
【００４４】
図２は、電源装置１１０の構成を示す図である。電源装置１１０は、図２に示すように、商用電源（ＡＣ電源ともいう）供給部としてのコンセント（図示せず）に接続可能な電源接続部（差し込みプラグとする）１１１と、差し込みプラグ１１１に接続されているＡＣ電源入力部１１２と、ＥＭＩ（Electro Magnetic Interface）フィルター１１３と、整流部及びＰＦＣ部１１４と、電源制御部としてのフライバック電源部１１５とを有している。
【００４５】
図２に示す電源装置１１０の構成そのものは一般的なプロジェクターとほぼ同様であるが、実施形態1に係るプロジェクターＰＪ１における電源装置１１０は、振動検出部１２５からの振動検出信号を、フォトカプラＰＣを介して受け取ると、当該振動検出信号によってフライバック電源部１１５が所定の動作を行う。
【００４６】
すなわち、フライバック電源部１１５は、振動検出信号を受け取ると主回路基板１２０への電力供給を停止させる動作を行う。このような「主回路基板側への電力供給を停止させる動作」は、ＡＣ電源が生きている間（差し込みプラグ１１１が部屋の壁などに存在するコンセントに接続されている間）は継続される。そして、差し込みプラグ１１１がコンセントから抜かれたのちに、再び、差し込みプラグ１１１がコンセントに接続される操作、すなわち、「電源遮断・再接続操作」がなされると、プロジェクターＰＪ１の主回路基板１２０側への電力供給が復帰する。
【００４７】
ただし、実施形態１に係るプロジェクターＰＪ１においては、単に、「電源遮断・再接続操作」がなされただけでは、プロジェクターＰＪ１は通常の動作が可能な状態（通常スタンバイ状態という）には移行せずに、所定の条件（後述する）を満たした場合のみに通常スタンバイ状態に移行するような制御を行う。このような制御については後述する。
【００４８】
ところで、電源制御部（フライバック電源部１１５）が主回路基板１２０側への電力供給を停止させるように動作した場合には、バラスト部１５０からランプ１４０への電力供給も停止する。これは、バラスト部１５０は、主回路基板１２０からの制御信号（具体的には、ＣＰＵ１２８からの制御信号）によって動作するようになっているためである。
【００４９】
すなわち、電源装置１１０からの電力がバラスト部１５０に供給されていても、フライバック電源部１１５によって主回路基板１２０への電力供給が停止した状態においては、バラスト部１５０への制御信号も停止する。それによって、ランプ１４０の駆動は停止状態となり、仮に、ランプ１４０が点灯中であれば、当該ランプ１４０は強制的に消灯状態となる。
【００５０】
図３は、実施形態１に係るプロジェクターＰＪ１の外観を示す図である。実施形態１に係るプロジェクターＰＪ１は、図３に示すように、プロジェクターＰＪ１の筐体１０には、投写レンズ２０と、電源スイッチとしての電源ボタン３０と、インジケータランプ４０と、吸気口５０と、排気口６０とが設けられている。なお、これら各構成要素の配置は、図２に示す配置に限られるものではなく、適宜最適な配置とすることができる。また、図３において、本発明を説明する上で必要な構成要素以外の構成要素については図示が省略されている。
【００５１】
インジケータランプ４０は、ＬＥＤなどが用いられ、通常スタンバイ状態（後述する）であることを表示するためのインジケータランプ４１と、異常スタンバイ状態（後述する）であることを表示するためのインジケータランプ４２とからなる。通常スタンバイ状態であることを表示するためのインジケータランプ４１の発光色はオレンジ色とし、異常スタンバイ状態であることを表示するためのインジケータランプ４２の発光色は赤色であるとする。
【００５２】
また、実施形態１に係るプロジェクターＰＪ１は、ダイレクトパワーオン機能を有するとともに、当該ダイレクトパワーオン機能の設定（オン）／解除（オフ）を行う機能を有しているものとする。なお、ダイレクトパワーオン機能というのは、差し込みプラグ１１１を介して商用電源が供給されることにより、電源ボタン３０が操作されることなくランプ１４０が点灯して投写開始が可能となる機能であるとする。このようなダイレクトパワーオン機能は、後述する実施形態２に係るプロジェクターＰＪ２においても設けられているものとする。
【００５３】
図４は、実施形態１に係るプロジェクターＰＪ１の動作を説明するフローチャートである。まず、プロジェクターＰＪ１を電源に接続する（ステップＳ１）。これは、具体的には、プロジェクターＰＪ１の電源接続部（差し込みプラグ１１１）を商用電源供給部（コンセント）に接続することである。このように、プロジェクターＰＪ１を電源に接続すると、フライバック電源部１１５が作動して、主回路基板１２０側への電力供給が開始する。これにより、主回路基板１２０のＣＰＵ１２８では、ＲＡＭ１２４のデータ読み込みを行って（ステップＳ２）、ＲＡＭ１２４内に振動検出履歴が有るか否かを判定する（ステップＳ３）。
【００５４】
ここで、振動検出履歴がない場合（ステップＳ３において「ＮＯ」の場合）には、プロジェクターＰＪ１を通常スタンバイ（この通常スタンバイ状態を「第１の通常スタンバイ状態」とする）として、第１の通常スタンバイ状態であることを表示する（ステップＳ４）。この場合は、オレンジ色のインジケータランプ４１を点灯させる。この状態において、振動検出部１２５から振動検出信号が出力されているか否かを判定する（ステップＳ５）。
【００５５】
なお、第１の通常スタンバイ状態というのは、電源ボタン３０をオンさせることにより、プロジェクターＰＪ１の動作が可能となる状態であり、現時点において、振動検出信号が出力されなければ、プロジェクターＰＪ１を通常に動作させることができる。
【００５６】
そして、振動検出部１２５から振動検出信号が出力されているか否かを判定した結果、振動検出信号が出力されていない状態（ステップＳ５において「ＮＯ」）において、プロジェクターＰＪ１の電源ボタン３０（図３参照）がオン操作されると（ステップＳ６）、プロジェクターＰＪ１のランプ１４０が点灯する（ステップＳ７）。これにより、画像の投写が可能となる。当該ランプ１４０の点灯中（画像の投写中）においては、ＣＰＵ１２８は振動検出部１２５から振動検出信号が出力されたか否かを監視する状態となる（ステップＳ８）。
【００５７】
ここで、大きな揺れを伴う地震が発生して振動検出部１２５から振動検出信号が出力されたとすると（ステップＳ８において「ＹＥＳ」）、ＣＰＵ１２８はＲＡＭ１２４に振動検出信号が出力されたことを示す情報を振動検出履歴として保存し（ステップＳ９）、主回路基板１２０への電力供給を停止する（ステップＳ１０）。ステップＳ１０における主回路基板１２０への電力供給の停止は、図２において説明したように、フライバック電源部１１５に振動検出信号が与えられることにより、フライバック電源部１１５が主回路基板１２０への電力供給を停止させることによって行われる。また、主回路基板１２０への電力供給が停止すれば、図２において説明したように、ランプ１４０の駆動も停止されるため、ランプ１４０は強制的に消灯状態となる。
【００５８】
ここで、ＡＣ電源を遮断したのち（差し込みプラグ１１１をコンセントから抜いたのち）に、再びＡＣ電源に接続（差し込みプラグ１１１をコンセントに接続）させるといった操作すなわち「電源遮断・再接続操作」がユーザーによって行われると（ステップＳ１１及びステップＳ１）、フライバック電源部１１５による主回路基板１２０側への電源供給が復帰する。
【００５９】
このような「電源遮断・再接続操作」がなされると、ＣＰＵ１２８は、ＲＡＭ１２４のデータ読み込みを行って（ステップＳ２）、ＲＡＭ１２４内に振動検出履歴が保存されているか否かを判定する（ステップＳ３）。この時点においては、ＲＡＭ１２４には、振動検出履歴が保存されているため、ステップＳ３において「ＹＥＳ」のパスに進み、ＣＰＵ１２８はプロジェクターＰＪ１を異常スタンバイ状態として、異常スタンバイ状態であることを表示する（ステップＳ１２）。この場合は、赤色のインジケータランプ４２を点灯させる。
【００６０】
異常スタンバイ状態であることを示すインジケータランプ４２が点灯している場合には、ＣＰＵ１２８は、ユーザーによって特定の操作が実行されたか否かを監視する（ステップＳ１３）。ここで、「特定の操作が実行されたか否を監視する」というのは、電源ボタン３０が特定の操作の仕方によって操作されたか否かを監視することである。具体的には、電源ボタン３０が所定時間（例えば、５秒間程度）の長押し操作されたことか否かを監視する。
【００６１】
そして、特定の操作が実行された場合（ステップＳ１３において「ＹＥＳ」の場合）には、異常スタンバイ状態から通常スタンバイ状態（この通常スタンバイ状態を「第２の通常スタンバイ状態」に移行させ、第２の通常スタンバイ状態であることを表示する（ステップＳ１４）。この場合も「第１の通常スタンバイ状態」と同様に、オレンジ色のインジケータランプ４１を点灯させる。このように、異常スタンバイ状態から通常スタンバイ状態（第２の通常スタンバイ状態）に移行させるには、電源ボタン３０を５秒程度長押しするといった特別な操作を行う必要がある。
このような操作は簡単な操作でありながら、プロジェクターが有する安全機能の存在をユーザーに意識させる操作として有効なものとなる。
【００６２】
なお、「第２の通常スタンバイ状態」というのは、「第１の通常スタンバイ状態」と同様に、電源ボタン３０をオンさせることにより、プロジェクターＰＪ１の動作が可能となる状態である。ただし、第２の通常スタンバイ状態は、異常スタンバイ状態から移行して通常スタンバイ状態（第２の通常スタンバイ状態）となっているため、実際に、プロジェクターＰＪ１の動作が可能となるまでには、第１の異常スタンバイ状態とは異なった動作（後述する）が加わってもよい。
【００６３】
そして、第２の通常スタンバイ状態となると、ＣＰＵ１２８は、現時点において振動検出信号が出力されているか否かを判定し（ステップＳ１５）、振動検出信号が出力されていない場合（ステップＳ１５において「ＮＯ」の場合）には、プロジェクターＰＪ１の動作（例えばランプ１４０の点灯動作など）を開始（又は再開）可能とする。ただし、第２の通常スタンバイ状態においては、プロジェクターＰＪ１の動作を直ちに開始（又は再開）可能とするのではなく、まずは、冷却用ファン（図示せず）を駆動させる（ステップＳ１６）。このとき、冷却用ファンをフル回転させる。
【００６４】
このように、冷却用ファンをフル回転させるのは、例えば、地震によってガス漏れが発生してプロジェクターＰＪ１の筐体１０内にガスが入り込んでいる場合を想定したものであり、このような場合に、プロジェクターＰＪ１の筐体１０内からガスを確実に排出させるためである。
【００６５】
そして、現時点において振動検出信号が出力されているか否かを判定し（ステップＳ１７）、現時点において振動検出信号が出力されていない場合（ステップＳ１７において「ＮＯ」の場合）には、プロジェクターＰＪ１の動作が開始（又は再開）可能な状態となる。ここで、ユーザーによって電源ボタン３０がオン操作されると（ステップＳ１８）、ＣＰＵ１２８は、冷却用ファンが所定時間継続して駆動されたか否かを判定する（ステップＳ１９）。冷却用ファンが所定時間継続して駆動されていれば（ステップＳ１９において「ＹＥＳ」））、ＲＡＭ１２４に保存されている振動検出履歴をクリアする（ステップＳ２０）。なお、冷却用ファンが所定時間継続して駆動されたか否かの判定は、電源ボタン３０がオン操作されてからの冷却用ファンの動作時間を判定するようにしてもよい。
【００６６】
その後、ステップＳ７に移行してランプ１４０を点灯させたのち、ステップＳ８の処理、すなわち、振動検出センサーが作動しているか否か（振動検出信号が出力されているか否か）を判定する処理に移行する。
【００６７】
以上説明した一連の処理手順において、第１の通常スタンバイ状態となったあとにおける「振動検出信号が出力されているか否か」の判定（ステップＳ５）は、振動検出信号が出力されていないと判定された場合（ステップＳ５において「ＮＯ」の場合）であったが、振動検出信号が出力されていると判定された場合（ステップＳ５において「ＹＥＳ」の場合）には、ステップＳ９に移行して、振動を検出したことを示す情報をＲＡＭ１２４に振動検出履歴として保存する処理を行うとともに、主回路基板１２０側への電力供給を停止させるようにしている。
【００６８】
このように、第１の通常スタンバイ状態において、振動検出信号が出力された場合には、主回路基板１２０側への電力供給を停止するようにしている。このため、たとえ、ユーザーが電源ボタン３０をオン操作させたとしても、プロジェクターは光源の点灯動作を含め各種動作の開始することはできない。これにより、安全性の高いプロジェクターとすることができる。そして、当該主回路基板１２０側への電力供給を停止した状態で電源遮断・再接続操作がなされると、主回路基板１２０側への電力供給を復帰させるようにする。
【００６９】
また、第２の通常スタンバイ状態となったあとにおける「振動検出信号が出力されているか否か」の判定（ステップＳ１５）は、振動検出信号が出力されていないと判定された場合（ステップＳ１５において「ＮＯ」の場合）であったが、この場合も、振動検出信号が出力されていると判定された場合（ステップＳ５において「ＹＥＳ」の場合）には、ステップＳ９に移行して、振動を検出したことを示す情報をＲＡＭ１２４に振動検出履歴として保存する処理を行うとともに、主回路基板１２０側への電力供給を停止させるようにしている。
【００７０】
このように、第２の通常スタンバイ状態において、振動検出信号が出力された場合には、主回路基板１２０側への電力供給を停止するようにしている。このため、たとえ、ユーザーが電源ボタンをオン操作させたとしても、プロジェクターはランプ１４０の点灯動作を含め各種動作の開始することはできない。これにより、安全性の高いプロジェクターとすることができる。そして、当該主回路基板１２０側への電力供給を停止した状態で電源遮断・再接続操作がなされると、主回路基板１２０側への電力供給を復帰させるようにする。
【００７１】
また、第２の通常スタンバイ状態において、振動検出信号が出力されず、冷却ファンが強制的に駆動（フル回転駆動）されている状態で、振動検出信号が出力されていると判定された場合（ステップＳ１７において「ＹＥＳ」の場合）にも、ステップＳ９に移行して、振動を検出したことを示す情報をＲＡＭ１２４に振動検出履歴として保存する処理を行うとともに、主回路基板１２０側への電力供給を停止させるようにしている。
【００７２】
このように、冷却ファンを強制的に駆動させている状態において、振動検出信号が出力された場合にも、主回路基板１２０側への電力供給を停止するようにしている。このため、たとえ、ユーザーが電源ボタンをオン操作させたとしても、プロジェクターはランプ１４０の点灯動作を含め各種動作の開始することはできない。これにより、安全性の高いプロジェクターとすることができる。そして、当該主回路基板１２０側への電力供給を停止した状態で電源遮断・再接続操作がなされると、主回路基板１２０側への電力供給を復帰させるようにする。
【００７３】
なお、冷却用ファンを強制的に駆動させている状態で振動検出信号が出力されていなければ、制御装置１２８は、電源ボタン３０のオン操作によってランプ１４０の点灯を可能としている。これは、現時点においては、プロジェクターの安全性が確保された状態であり、このような状態においては、プロジェクターのランプ１４０を点灯させて投写の開始又は再開を可能とする。ただし、ランプ１４０を点灯させる際は、冷却用ファンが所定時間継続して駆動されたか否かを判定し、冷却用ファンが所定時間継続して駆動された場合に光源を点灯させることが好ましい。このようにすることによって、プロジェクターの筐体内にガスが入り込んでいる場合には、ガスを確実に排出することができ、安全性をより高めることができる。
【００７４】
ところで、プロジェクターＰＪ１のＡＣ電源が既に接続されていて、電源ボタン３０をオン操作させることによってプロジェクターＰＪ１の使用が開始可能な状態となっている場合には、ステップＳ６から処理が開始されることとなる。この場合は、当該プロジェクターＰＪ１が第１の通常スタンバイ状態の表示（オレンジ色のインジケータランプ４１が点灯している状態）となっていて（ステップＳ４）、かつ、その時点において振動検出信号が出力されていなければ（ステップＳ５において「ＮＯ」の場合）、電源ボタン３０がオン操作されることにより、ランプ１４０が点灯して投写が可能となる。以降は、ステップＳ８以降の処理となる。
【００７５】
以上説明したように、実施形態１に係るプロジェクターＰＪ１においては、例えば、プロジェクターＰＪ１が画像の投写を行っている最中に、所定以上の大きさの揺れを振動検出部１２５が検出した場合には、プロジェクターＰＪ１の主回路基板１２０側への電力供給を停止させるようにし、また、ランプ１４０を点灯させるための制御信号をも停止させるようにしている。
【００７６】
これにより、プロジェクターＰＪ１は差し込みプラグ１１１がコンセントに差し込まれた状態で、プロジェクターＰＪ１としての動作が停止状態となる。このような状態において、電源遮断・再接続操作を行うことによって、プロジェクターＰＪ１の主回路基板側への電力供給を復帰させることができる。このとき、電源遮断・再接続操作を行ったのち、単に電源ボタン３０を押しただけでは、プロジェクターＰＪ１は通常スタンバイ動作（第２の通常スタンバイ状態）に移行しないようにしており、特定の操作（電源ボタン３０の長押し操作）を行って初めて通常スタンバイ状態（第２通常スタンバイ状態）に移行するようにしている。
【００７７】
これにより、実施形態１に係るプロジェクターＰＪ１においては、地震が治まったあとに、プロジェクターＰＪ１の動作を開始又は再開させるような場合、安全機能が多重に設けられているため、大きな地震の発生時などにおいて、安全性の高いプロジェクターとすることができる。
【００７８】
特に、ダイレクトパワーオン機能が設定（オン）されている場合には、通常時においては、差込プラグ１１１がコンセントに差し込まれると、直ちに、ランプ１４０の点灯がなされて、画像の投写が可能となる状態となるが、実施形態１に係るプロジェクターＰＪ１においては、振動検出履歴が保存されている場合（ステップＳ３において「ＹＥＳ」の場合）には、差し込みプラグ１１１を差し込んでも、ランプは点灯せずに、異常スタンバイの状態に移行して異常スタンバイ状態であることを表示する（ステップＳ１２）。すなわち、振動検出信号が出力された場合や振動検出履歴が保存されている状態では、ダイレクトパワーオン機能が解除（オフ）される。よって、差込プラグ１１１がコンセントに差し込まれた後に、特定の操作（この場合は、電源ボタン３０の長押し操作）を行わないと、プロジェクターを正常な動作状態に移行させることができない。ここで、プロジェクターが正常な動作状態に移行した後には、ダイレクトパワーオン機能が再び設定（オン）されている状態に戻ってもよい。
【００７９】
これにより、ダイレクトパワーオン機能が設定されている場合に、例えば、地震などによって電源が遮断されたのちに電源が復旧した場合に、ランプが点灯してしまうといったことがなくなり、大きな地震の発生時などにおいて、安全性の高いプロジェクターとすることができる。
【００８０】
［実施形態２］
図５は、実施形態２に係るプロジェクターＰＪ２の構成を示す図である。実施形態２に係るプロジェクターＰＪ２が実施形態１に係るプロジェクターＰＪ１（図１参照）と異なるのは、振動検出部１２５に加えてガス検出部１２９を備えている点であり、その他は、実施形態１に係るプロジェクターＰＪ１と同様である。このため、図５に示すプロジェクターＰＪ１において図１に示すプロジェクターＰＪ１と同一構成要素には同一符号が付されている。なお、ガス検出部１２９は、プロジェクターＰＪ２の筐体１０（図３参照）内における吸気口５０の近くに設置することが好ましい。
【００８１】
このようなガス検出部１２９を有することにより、電源制御部（フライバック電源部１１５）は、ガス検出信号が出力された場合にも振動検出信号が出力された場合と同様に、主回路基板１２０側への電力供給を停止させるような動作を行う。なお、がス検出部１２９は、ガスの濃度に閾値を設定しておき、検出されたガスの濃度が当該閾値以上となった場合にガス検出信号を出力するように設定しておくことが好ましい。
【００８２】
図６は、実施形態２に係るプロジェクターＰＪ２の動作を説明するフローチャートである。実施形態２に係るプロジェクターＰＪ２の動作が実施形態１に係るプロジェクターＰＪ１と異なるのは、振動検出部１２５から振動検出信号が出力された場合の制御に加えて、ガス検出部１２９からガス検出信号が出力された場合に、当該ガス検出信号に基づく制御を行う点である。このため、全体的な処理の流れは、図４に示すフローチャートと同じである。
【００８３】
図６に示すフローチャートが図４に示すフローチャートと異なるのは、ステップＳ３においては、ＲＡＭ１２４内に振動検出履歴が保存されているか否かを判定するだけではなく、ガス検出履歴が保存されているか否かを判定する動作を行う。
【００８４】
また、ステップＳ５，Ｓ８，Ｓ１５，Ｓ１７においては、振動検出信号が出力されているか否かを判定するだけではなく、ガス検出信号が出力されているか否かを判定する動作を行う。また、ステップＳ９においては、ＲＡＭ１２４内に振動を検出したことを示す情報を振動検出履歴として保存するだけではなく、ガスを検知した場合には、ガスを検出したことを示す情報をガス検出履歴として保存する。また、ステップＳ１０においては、電源制御部（フライバック電源部１１５）は、振動検出信号が出力された場合と同様に、ガス検出信号が出力された場合にも、主回路基板１２０側への電力供給を停止させるような動作を行う。
【００８５】
なお、実施形態２に係るプロジェクターＰＪ２においては、振動検出部１２５からの振動検出信号及びガス検出部１２９からのガス検出信号の両方が同時に検出されなくてもよく、振動検出信号及びガス検出信号少なくとも一方が出力された場合にそれぞれに対応する動作を行うものとする。図６においては、「振動検出信号及びガス検出信号の少なくとも一方」を「振動検出信号及び／又はガス検出信号」というように表記している。
【００８６】
また、実施形態２に係るプロジェクターＰＪ２においては、冷却用ファンが所定時間継続して駆動されたか否かの判定（ステップＳ１９）を行ったのちに、振動検出信号及び／又はガス検出信号出力があるか否かの判定（ステップＳ２０）をさらに行う点が実施形態１に係るプロジェクターＰＪ１と異なる。ここで、振動検出信号及び／又はガス検出信号出力が無いと判定された場合（ステップＳ２０において「ＮＯ」の場合）には、ＲＡＭ１２４に保存されている振動検出及び／又はガス検出履歴をクリアする（ステップＳ２１）。なお、図６のフローチャートおけるステップＳ２１は、図４のフローチャートにおいては、ステップＳ２０に対応する。
【００８７】
その後、ステップＳ７に移行してランプ１４０をさせたのち、ステップＳ８の処理、すなわち、振動検出信号及び／又はガス検出信号の出力を監視する処理に移行する。一方、図６におけるステップＳ２０において、振動検出信号及び／又はガス検出信号出力があると判定された場合（ステップＳ２０において「ＹＥＳ」の場合）には、ステップＳ９に移行する。
その他の動作は図４で説明した動作と同様であるので、説明は省略する。
【００８８】
このように、実施形態２に係るプロジェクターにおいては、地震などによる振動だけではなく、ガスを検出した場合及び振動とガスの両方を検出した場合にも、振動を検出した場合と同様の動作を行うようにしている。このため、実施形態２に係るプロジェクターＰＪ２によれば、実施形態１に係るプロジェクターＰＪ１で得られる効果に加えて、ガス漏れが発生した場合にも高い安全性を確保することができる。
【００８９】
また、実施形態２に係るプロジェクターＰＪ２においては、「振動検出信号及びガス検出信号の少なくとも一方」によって動作を行うようにしているため、地震によるガス漏れだけではなく、地震とは関係なく、単にガス漏れが発生した場合にも対応可能となる。
【００９０】
例えば、都市ガスやプロパンガスを用いた調理機器やストーブなどから、何らかの原因でガス漏れが生じて、漏れたガスがプロジェクターＰＪ２の筐体内に入り込んだ場合や、可燃性ガスを含んだ殺虫剤や整髪剤などのスプレー缶から噴霧された可燃性ガスがプロジェクターＰＪ２の筐体１０内に許容量を超えて入り込んだ場合においても、当該ガスを検出して、振動を検出した場合と同様の動作を行う。これにより、実施形態２に係るプロジェクターＰＪ２はより安全性の高いプロジェクターとなる。
【００９１】
また、異常スタンバイ状態から第２の通常スタンバイ状態に移行したあと、振動検出信号及び／又はガス検出信号出力がない場合（ステップＳ１５において「ＮＯ」の場合）には冷却用ファンを駆動（フル回転）させるようにしている（ステップＳ１６）。このように、ステップＳ１６で冷却ファンをフル回転させることにより、プロジェクターＰＪ２内部には、検知できるほどのガスが存在していなくても、プロジェクターＰＪ２の周辺でガス漏れが発生し続けていた場合に、当該ガスをプロジェクターＰＪ２内に強制的にガスを取り込んで、それに対応した処理を行うことができる。
【００９２】
すなわち、プロジェクターＰＪ２内に強制的にガスを取り込むようにすると、ステップＳ２０において、ガス検出信号出力があるか否かを判定する処理を行うため、取り込んだガスを検出することによって、ガス検出信号が出力される。それによって、ランプ１４０の点灯動作（ステップＳ７）に移行することなく、ガスを検出したことを示す信号を（ＲＡＭ１２４に振動検出及び／又はガス検出履歴として保存（ステップＳ９）したのち、主回路基板１２０への電力供給を停止する処理に移行するため、安全性が保たれる。
【００９３】
このように、プロジェクターＰＪ２内には、検知できるほどのガスが存在していなくても、周辺に所定量異常のガスが存在していた場合にも、ステップＳ９以降の動作に移行するため、安全性の高いプロジェクターＰＪ２とすることができる。
【００９４】
なお、本発明は上述の実施形態に限られるものではなく、本発明の要旨を逸脱しない範囲で種々変形実施可能となるものである。たとえば、下記に示すような変形実施も可能である。
【００９５】
（１）上記各実施形態においては、電源遮断・再接続操作は、差し込みプラグ１１１をコンセントから抜いて、再び、コンセントに差し込むという操作によって行うようにしたが、これに限られるものではなく、例えば、プロジェクターの電源装置１１０において、差し込みプラグ１１１とＡＣ電源入力部１１２との間に電源遮断・投入用のスイッチを設けておき、当該電源遮断・投入用のスイッチを操作することによって行うようにしてもよい。
【００９６】
（２）上記各実施形態においては、通常スタンバイ状態（第１の通常スタンバイ状態及び第２の通常スタンバイ状態）に移行したことを示す表示と、異常スタンバイ状態に移行したことを示す表示は、それぞれ色の異なるインジケータランプを点灯させることにより行ったが、プロジェクターの操作パネルの表示窓などに、例えば「通常スタンバイ状態」、「異常スタンバイ状態」というように文字によって表示させるようにしてもよい。また、インジケータランプによる表示と文字による表示の両方を行うようにしてもよい。
【００９７】
また、ユーザーが次に行うべき操作を簡単に文字によって表示するようにしてもよい。例えば、「異常スタンバイ状態」の表示を行った場合には、「電源ボタンを長押ししてください」というような表示を文字によって行うようにしてもよい。
【００９８】
（３）上記各実施形態においては、「異常スタンバイ状態」から「通常スタンバイ（第２の通常スタンバイ）」への移行は、電源ボタン３０の長押しによって可能としたが、電源ボタン３０の長押し操作に限られるものではなく、プロジェクターにおいて行われる通常の操作とは異なる特定の操作の仕方を決めておけば、長押し操作とは異なった操作の仕方とすることができる。
【００９９】
（４）上記各実施形態においては、振動検出部１２５としてはジャイロセンサーを例示したが、ジャイロセンサーに限られるものではなく、地震などの揺れを検出できるものであればよく、例えば、加速度センサーなどを用いることも可能である。
【０１００】
（５）上記各実施形態においては、停電時における動作については言及しなかったが、停電時においても同様に動作する。例えば、図４において、振動検出信号が出力されたことを示す情報をＲＡＭ１２４に振動検出履歴として保存する処理（ステップＳ９）を行ったのちに、電源制御部１１５が主回路基板１２０への電力供給を停止した状態で、停電が発生して、その後に、元の状態に復旧した場合を考えると、この場合の「停電」は図４におけるステップＳ１１の「ＡＣ電源を遮断」に対応し、「復旧」は図４におけるステップＳ１における「ＡＣ電源に接続」に対応する。このような場合、元の状態に復旧すると、ＲＡＭ１２４のデータ読み込みを行って（ステップＳ２）、ＲＡＭ１２４内に振動検出履歴が有るか否かを判定し（ステップＳ３）、振動検出履歴が無ければ、第１の通常スタンバイ状態に移行し、振動検出履歴が有れば、異常スタンバイ状態に移行するという処理に移行する。
【０１０１】
特に、プロジェクターのダイレクトパワーオン機能が設定されている場合には、停電から元の状態に復旧したときに、従来では、ランプ点灯に移行してしまうが、上記各実施形態においては、ＲＡＭ１２４のデータ読み込みを行って（ステップＳ２）、振動履歴の有無を判定（ステップＳ３）する処理を行う。そして、振動検出履歴が無ければ、第１の通常スタンバイ状態に移行し、振動検出履歴が有れば、異常スタンバイ状態に移行するという処理を行う。
【０１０２】
このように、プロジェクターのダイレクトパワーオン機能が設定されている場合において、停電から元の状態に復旧したときに、振動検出履歴が有る場合には、異常スタンバイ状態に移行し、ダイレクトパワーオン機能は解除される。異常スタンバイ状態に移行した場合には、前述したように、特定の操作を行わないと、プロジェクターを正常な動作状態に移行させることができない。これにより、地震の発生に伴う停電が発生し、その後復旧した場合にも、ダイレクトパワーオン機能によってランプが点灯してしまうことがなくなるため、安全性の高いプロジェクターとなる。
【符号の説明】
【０１０３】
１０・・・プロジェクターの筐体、２０・・・投写レンズ、３０・・・電源ボタン、４０・・・インジケータランプ、４１・・・インジケータランプ（通常スタンバイ状態表示用）、４２・・・インジケータランプ（異常スタンバイ状態表示用）、５０・・・吸気口、６０・・・排気口、１１０・・・電源装置、１１１・・・差し込みプラグ（電源接続部）、１１５・・・フライバック電源部（電源制御部）、１２０・・・主回路基板、１２４・・・ＲＡＭ（記憶部）、１２５・・・振動検出部、１３０・・・画像投写部、１４０・・・光源（ランプ）、１５０・・・バラスト部
【図１】
2013178437.tif 000003
【図２】
2013178437.tif 000004
【図３】
2013178437.tif 000005
【図４】
2013178437.tif 000006
【図５】
2013178437.tif 000007
【図６】
2013178437.tif 000008